(57)【要約】      （修正有）【課題】ふとんの出し入れが簡単なふとんカバーを提供しようとする。【解決手段】方形の底布部１２と、底布部１２の後端部に重畳され、前後長さが底布部１２の前後長さの１／２以下の中間布部１４と、底布部１２と略同形で、底布部１２の一部分で中間布部１４を介在させて、底布部１２に重畳される表布部１６とを備え、底布部１２と中間布部１４とが後の部分Ａで結合されて第一の袋部１８が形成され、底布部１２と表布部１６とが前の部分Ｂで結合されて第二の袋部３０が形成され、第一の袋部１８の前後長さと第二の袋部３０の前後長さとの和が底布部１２の前後長さより小さくされ、底布部１２と表布部１６とが、左右の辺の部分Ｃで、着脱自在に連結され、底布部１２の後端部と表布部１６の後端部とが着脱自在に係合されたふとんカバー２である。【選択図】図１
2008036305.tif 000002
【特許請求の範囲】
【請求項１】
前後辺と左右辺とを有する方形の底布部と、
底布部の後端部に重畳され、前後長さが該底布部の前後長さの１／２以下の中間布部と、
該底布部と略同形で、底布部の一部分で該中間布部を介在させて、底布部に重畳される表布部とを備え、
底布部と中間布部とが双方の後、左、右それぞれの辺同士が当接する部分Ａで結合されて第一の袋部が形成され、
底布部と表布部とが双方の前辺同士、及び該前辺から延長された左、右それぞれの辺の一部同士が当接する部分Ｂで結合されて第二の袋部が形成され、
第一の袋部の前後長さと第二の袋部の前後長さとの和が底布部の前後長さより小さくされ、
底布部と表布部とが、少なくとも、双方の左右それぞれの辺同士が当接する部分の、前記部分Ａと前記部分Ｂの位置の部分を除く部分Ｃで、着脱自在に連結され、
底布部の後端部と表布部の後端部とが着脱自在に係合されたふとんカバー。
【請求項２】
前記表布部が、表布部の後端部裏側に重畳され長さが該表布部の左右幅と略等しい帯状布部を備え、表布部と帯状布部とが双方の後、左、右それぞれの辺同士が当接する部分で結合されて第三の袋部が形成された請求項１に記載のふとんカバー。
【請求項３】
底布部と表布部とが、前記部分Ｃで、ファスナー、面ファスナー、紐、ボタン、ホックから選択された手段を介して連結された請求項１に記載のふとんカバー。
【発明の詳細な説明】
【技術分野】
【０００１】
本発明は、ふとんの出し入れが簡単なふとんカバーに関する。
【背景技術】
【０００２】
衛生的で快眠できる睡眠環境を整えるためにも、ふとんカバーの洗濯を所定の周期で行うことが大切である。しかし、洗濯のたびに頻繁にふとんカバーからふとんを出し入れすることは大変手間がかかる。このため、ファスナー等を用いてふとんカバーの一部を開閉自在にすることが試みられてきた。（例えば、特許文献１〜４参照）しかし、これらは、ふとんカバーのファスナーを開状態にしてふとんをふとんカバーに入れたときにふとんがずれやすくふとんの位置が決めにくく必ずしもふとんの挿入操作が容易でなかったり、ファスナーがふとんカバーの上面あるいは裏面に位置して就寝時に異物感があったり、あるいはファスナーの部分が長くて開閉操作に手間取ったりファスナーの故障の確率が増えたりして、必ずしも充分満足できるものではなかった。
【特許文献１】特開２００６−８１８７７号公報
【特許文献２】登録実用新案第３０５３６４８号公報
【特許文献３】特開２００３−３８３２２号公報
【特許文献４】実開平５−２８２６２号公報
【発明の開示】
【発明が解決しようとする課題】
【０００３】
本発明の目的は、ふとんの出し入れが簡単なふとんカバーを提供しようとすることである。
【課題を解決するための手段】
【０００４】
本発明の要旨とするところは、前後辺と左右辺とを有する方形の底布部と、
底布部の後端部に重畳され、前後長さが該底布部の前後長さの１／２以下の中間布部と、
該底布部と略同形で、底布部の一部分で該中間布部を介在させて、底布部に重畳される表布部とを備え、
底布部と中間布部とが双方の後、左、右それぞれの辺同士が当接する部分Ａで結合されて第一の袋部が形成され、
底布部と表布部とが双方の前辺同士、及び該前辺から延長された左、右それぞれの辺の一部同士が当接する部分Ｂで結合されて第二の袋部が形成され、
第一の袋部の前後長さと第二の袋部の前後長さとの和が底布部の前後長さより小さくされ、
底布部と表布部とが、少なくとも、双方の左右それぞれの辺同士が当接する部分の、前記部分Ａと前記部分Ｂの位置の部分を除く部分Ｃで、着脱自在に連結され、
底布部の後端部と表布部の後端部とが着脱自在に係合されたふとんカバーであることにある。
【０００５】
前記ふとんカバーにおいては、前記表布部が、表布部の後端部裏側に重畳され長さが該表布部の左右幅と略等しい帯状布部を備え得、表布部と帯状布部とが双方の後、左、右それぞれの辺同士が当接する部分で結合されて第三の袋部が形成され得る。
【０００６】
前記ふとんカバーにおいては、底布部と表布部とが、前記部分Ｃで、ファスナー、面ファスナー、紐、ボタン、ホックから選択された手段を介して連結され得る。
【発明の効果】
【０００７】
本発明によると、ふとんの出し入れが簡単なふとんカバーが提供される。
【発明を実施するための最良の形態】
【０００８】
本発明のふとんカバーの態様を図を用いて説明する。なお、本明細書においては、各図にわたって記される同じ符号は同一又は同様の部材やものを示す。また、本明細書においては、説明の都合からふとんカバーやそれを構成する諸部分に前後左右の仮の方向付けをなしているが、この方向の違いをもって本願発明の態様を逸脱することはない。図１において、本発明のふとんカバー２は、一対の対向する辺６、４（前後辺）と、他の一対の対向する辺８、１０（左右辺）とを有する方形の底布部１２と、底布部１２の後端部１５に重畳され、左右幅ｗｔが底布部１２の左右幅ｗｂと略等しく前後長さＬｔが底布部１２の前後長さＬの１／２以下の中間布部１４と、底布部１２と略同形で、底布部１２の一部分で中間布部１４を介在させて、底布部１２に重畳される表布部１６とを備える。辺４は後辺、辺６は前辺、辺８は左辺、辺１０は右辺である。図１（ａ）は表布部１６をめくりあげた状態であり、図１（ｂ）は表布部１６を底布部１２の上面に、一部分で中間布部１４を介在させて重畳した状態を示す。
【０００９】
底布部１２と中間布部１４とは、双方の後、左、右それぞれの辺同士が当接する部分Ａで結合されて第一の袋部１８が形成されている。すなわち、辺４と中間布部１４の後辺２１、辺８と中間布部１４の左辺２３、辺１０と中間布部１４の右辺２５、のそれぞれが互いに並接して結合している。第一の袋部１８は、左右幅がｗｔ、前後長さがＬｔとなる。Ｌｔは好ましくは１０〜４０ｃｍである。この結合は通常は辺に沿った縫目２９によりなされる。底布部１２と中間布部１４とが連続した一枚の布からなり、辺４及び後辺２１に相当する部分で折りかえされた構成であってもよい。
【００１０】
また、底布部１２と表布部１６とが双方の前辺同士、及びその前辺から延長された左、右それぞれの辺の一部同士が当接する部分Ｂで結合されて第二の袋部３０が形成されている。すなわち、辺６と表布部１６の前辺２７、辺８と表布部１６の左辺前端部２９、辺１０と表布部１６の右辺前端部３１のそれぞれが互いに並接して結合している。底布部１２と表布部１６とが連続した一枚の布からなり、辺６と表布部１６の前辺２７に相当する部分で折りかえされた構成であってもよい。第一の袋部１８の前後長さＬｔと第二の袋部３０の前後長さとＬｆとの和は底布部の前後長さＬより小さくされている。、Ｌｆは好ましくは１０〜４０ｃｍである。
【００１１】
底布部１２と表布部１６とは、双方の左右それぞれの辺同士が当接する部分の、部分Ａと部分Ｂの位置の部分を除く部分Ｃで、着脱自在に連結されている。さらに双方の左右それぞれの辺同士が当接する部分でかつ部分Ａに該当する部分で着脱自在に連結されていてもよい。部分Ｃなどにおけるこの連結はファスナー３４、３４を介してなされることが好ましいが、面ファスナー、紐、ボタン、ホックから選択された手段を介して連結されてもよい。
【００１２】
このように、ファスナー３４、３４はふとんカバー２の左右の辺の一部に使用すればよいので、ふとんカバー２の左右の辺及び前後の一辺のほぼ全長にわたりファスナーを用いる従来のふとんカバーに比べてファスナーの使用長さが短く、ファスナーの開閉操作が簡単でファスナーの故障の確率も小さい。また、ファスナーがふとんカバーの上下面の中間部に存在しないので、就寝時に異物感があったりすることがなく、また、身体の荷重でファスナーが損傷する機会が少ない。
【００１３】
さらに、表布部１６の後端部３６にはホック４４からなる係合部４２が備えられ、底布部１２の後端部１５と着脱自在に係合している。あるいは、後端部３６と後端部１５とはファスナー、面ファスナー、紐、ボタン等の係合手段を介して着脱自在に係合されていてもよい。
【００１４】
ふとんカバー２にふとんを挿着する操作を説明する。図２（ａ）は、ふとんを挿着する前のふとんカバー２の状態である。ファスナー３４、３４は開状態であり、表布部１６は底布部１２の上面が露出するように第二の袋部３０の部分を残してまくりあげられている。
【００１５】
次いで、図２（ｂ）から図２（ｃ）にかけての側面模式図に示すように、ふとん４０の後端部４３を、第一の袋部１８に挿入し、ふとん４０の前端部４９を、第二の袋部３０に挿入する。ふとん４０は前後が逆であってもよい。また、ふとん４０の一対の側端部のそれぞれを、第一の袋部１８と第二の袋部３０とにそれぞれ挿入する態様であってもよい。図２（ｂ）、（ｃ）にかけての操作により、図２（ｃ）に示す如くふとん４０の後端部４３が第一の袋部１８に挿入され、ふとん４０の前端部４９が第二の袋部３０に挿入されて、ふとん４０が、底布部１２と完全に重なった状態で底布部１２に対して固定される。すなわち、ふとんカバー２内の所定の位置にふとん４０が固定される。
【００１６】
次いで、図２（ｄ）の側面模式図に示すように、まくりあげられていた表布部１６をもとに戻してふとん４０の上面及び中間布部１４の上面に重畳したのち、ファスナー３４、３４（図２（ａ））を閉じる。最後にホックからなる係合手段４５により、表布部１６の後端部３６と底布部１２の後端部１５とを係合する。
【００１７】
図２（ａ）から図２（ｄ）に到る一連の操作は各段階とも、あるいは総合的にもきわめて単純かつ容易であり、このように、本発明によりふとんカバーにふとんを容易に挿着することができる。
【００１８】
本発明の他の態様の一例においては、図３に示すように、表布部１６が、後端部３６に底布部１２の後端部１５と係合する係合部４６を備えていてもよい。係合部４６においては、表布部１６の後端部裏側に長さが表布部１６の左右幅と略等しい帯状布部４８が重畳され、表布部１６と帯状布部４８とが双方の後、左、右それぞれの辺同士が当接する部分で縫合などにより結合されて第三の袋部５０が形成されている。表布部１６と帯状布部４８とが連続した一枚の布からなり、後辺に相当する部分で折りかえされ双方の左、右それぞれの辺同士が縫合などにより結合された構成であってもよい。
【００１９】
図４に、表布部１６の後端部３６と底布部１２の後端部１５とが係合した状態を示す。図４においては、後端部３６（図３）に備えられた係合部４６が後端部１５（図３）に係合している。係合部４６は第三の袋部５０からなり、第三の袋部５０の内部に底布部１２の後端部１５がふとん４０ごと挿入されることにより後端部３６と後端部１５とが係合する。
【００２０】
第三の袋部５０の開口縁部５３すなわち、帯状布部４８の前辺部５４は、伸縮自在とされれいることが好ましい。例えば、前辺部５４にゴム紐などの不図示の弾性紐を固定することにより、あるいは前辺部５４にその前辺に沿って管状に袋縫い部を作り、その袋縫い部に弾性紐を挿通させて弾性紐の両端を袋縫い部に固定することにより、前辺部５４を伸縮自在とすることができる。この場合、弾性紐は、前辺部５４が弾性紐の縮みにより張力のかからない状態で帯状布部４８のもとの長さ（ｗｔ）より約５〜１５％縮んだ状態となるように固定される。
【００２１】
開口縁部５３すなわち前辺部５４をこのような伸縮自在なものとすることにより、ふとん４０を挿入した後端部１５を第三の袋部５０へ挿入した図４に示す状態で、前辺部５４を長手方向に縮める力が発生し、第三の袋部５０の後端部１５への係合がきわめて安定しさらに確実になる。すなわち、後端部３６と後端部１５との係合がきわめて安定しさらに確実になる。
【００２２】
その他、本発明は、主旨を逸脱しない範囲で当業者の知識に基づき種々なる改良、修正、変更を加えた態様で実施できるものである。例えば、第一の袋部１８及び第二の袋部３０の内側隅５２（図１）には不図示の結び用紐が取り付けられていてもよい。この結び用紐は、ふとん４０の隅に取り付けられた対応する不図示の結び用紐と結ばれることにより、ふとん４０に対するふとんカバー２の固定をさらに確実にするために設けられる。
【図面の簡単な説明】
【００２３】
【図１】本発明のふとんカバーの態様の一例を示し、図１（ａ）は表布部をまくりあげた状態の斜視一部透視模式図、図１（ａ）は表布部を底布部に重畳させた状態の斜視模式図である。
【図２】本発明のふとんカバーにふとんを挿着する操作を図２（ａ）〜（ｄ）と順を追って説明する断面模式図である。
【図３】本発明のふとんカバーの態様の他の一例を示し、表布部をまくりあげた状態の斜視模式図である。
【図４】図４に示すふとんカバーにふとんが挿着された状態を示す断面模式図である。
【符号の説明】
【００２４】
２：ふとんカバー
４、６、８、１０：辺
１２：底布部
１４：中間布部
１５：底布部の後端部
１６：表布部
１８：第一の袋部
３０：第二の袋部
３４：ファスナー
３６：表布部の後端部
４０：ふとん
４２：係合部
４８：帯状布部
５０：第三の袋部
【図１】
2008036305.tif 000003
【図２】
2008036305.tif 000004
【図３】
2008036305.tif 000005
【図４】
2008036305.tif 000006